(57)【要約】【課題】簡単な構造で建物躯体とその外側の煉瓦組積外壁との間に形成された空気層への空気流入量を多くすることができる建物の煉瓦組積外壁を提供する。【解決手段】基礎４上の建物躯体１の外側に間隔をあけて空気層３を形成するとともに、建物躯体１に取り付けた、横鉄筋１７を支持する煉瓦横鉄筋支持金物１６に固定され、基礎３と同一の基礎上に設けられた煉瓦組積外壁２において、煉瓦組積外壁２の最下部に並んだ煉瓦の一部に、複数の通気口１０が形成された通気用煉瓦１１を間隔をおいて配置して通気口１０を形成し、この通気口１０を複数の通気孔が形成された通気カバー１４で覆われる。【選択図】図１
0003131222.tif 000002
【実用新案登録請求の範囲】
【請求項１】
基礎上の建物躯体の外側に間隔をあけて設けて空気層を形成するとともに、建物躯体に取り付けた、横鉄筋を支持する煉瓦横鉄筋支持金物に固定され、前記基礎と同一の基礎上に設けられた煉瓦組積外壁において、
煉瓦組積外壁の最下部に並べた煉瓦の一部に、複数の通気口が形成された通気用煉瓦を間隔をおいて配置し、この通気口を複数の通気孔が形成された通気カバーで覆ったことを特徴とする煉瓦組積外壁。
【請求項２】
通気用煉瓦が煉瓦の中央の縦方向に形成された補強壁を挟んで両側に通気口が形成されていることを特徴とする請求項１記載の煉瓦組積外壁。
【請求項３】
基礎が煉瓦組積外壁の基礎部分を建物躯体の基礎部分より下のレベルに形成され、躯体の基礎部分から外壁の基礎部分へ下向きに傾斜していることを特徴とする請求項１又は２記載の煉瓦組積外壁。
【請求項４】
横鉄筋支持金物が建物躯体に取り付けられたアングル材の縦方向に間隔をおいて溶接により複数固定されていることを特徴とする請求項１、２又は３記載の煉瓦組積外壁。
【考案の詳細な説明】
【技術分野】
【０００１】
本考案は、建物躯体の外側に間隔をあけて断熱層を形成する建物の煉瓦組積外壁に関する。
【背景技術】
【０００２】
建物躯体の外側に間隔をあけて断熱層となる空間層を設けて外壁を構築することにより、断熱性を向上させる煉瓦組積外壁が知られている。
【０００３】
図３（ａ）は従来の煉瓦組積外壁の一例を示す縦断面図、（ｂ）は煉瓦組積外壁の一部を示す正面図である。図２は横鉄筋支持金物と横鉄筋の配置を示す図で、（ａ）は本考案、（ｂ）は従来例を示す図である。
【０００４】
建物躯体１は、基礎３２の上にパッキン５を介して置かれた土台６の上に設けられる。建物躯体１との間に空気層３を形成するために間隔をおいて煉瓦を破れ目地に積み重ねて煉瓦組積外壁２が形成される。ＦＬは床レベルである。
【０００５】
図２（ｂ）に示すように、煉瓦の目地には、建物躯体１の柱にビスで固定された横鉄筋支持金物３０および水平方向の横鉄筋３１が固定されるとともに、縦筋３４が煉瓦の孔３５（図３（ｂ）参照）に通される。
【０００６】
煉瓦組積外壁２の２段目の煉瓦の横に隣り合う煉瓦の縦方向は、目地材１５を充填することなく隙間を設けて空気層３と通じる通気口３３を形成する。通気口３３は、約１ｍピッチで形成される。この通気口３３を通って煉瓦組積外壁２の外側から外気が空気層３に流入する。
【０００７】
図４（ａ）は従来の煉瓦組積外壁の別の例を示す縦断面図、（ｂ）は床下の空気の流れを示す図である。図３と同一部材には同符号を付してその説明は省略する。
【０００８】
建物躯体１は、基礎３２の上にパッキン５を介して置かれた土台６の上に設けられる。建物躯体１のＦＬの下には建物躯体１と煉瓦組積外壁２を貫通する通気用パイプ３６が設けられる。建物躯体１の通気用パイプ３６と対向する側には換気扇３７が設けら、図４（ｂ）に示すように、通気用パイプ３６から流入した空気は通気用パイプ３６と対向する側の換気扇３７で強制換気される。
【０００９】
煉瓦組積外壁の換気装置に関して、特許文献１には、昼夜等の温度変化に応じて建築物の換気を制御することができるとともに、建築物の外壁の断熱性を向上させるために煉瓦積み外壁の最上部及び最下部に換気装置を設けることが記載されている。この換気装置は、外壁の内外を連通する連通路を形成するケースと、連通路を開閉するため一端が水平軸の回りに揺動自在に取り付けられているフラップと、フラップの他端の下面に固定されたウエイトと、フラップの他端に固定され、フラップの開度を制御する形状記憶合金製のコイル状部材とを備え、外気の温度変化に対応してコイル状部材が伸縮してコイル状部材に取り付けられたフラップが開閉する構造となっている。
【特許文献１】特開２００３−２６９７５８公報
【考案の開示】
【考案が解決しようとする課題】
【００１０】
図３に示す通気口は、本来、目地となる部分を開けて形成したものであるために開口面積が小さいので、高温多湿の日本では空気層へ流入する空気流入量が足りないため換気が十分に行われないという欠点がある。
【００１１】
また、図４に示す通気用パイプは、建物躯体と煉瓦組積外壁とを貫通させて設けるとともに、強制換気のために換気扇を設ける必要があることから構造が複雑になる。さらに、図４（ｂ）に示すように、空気が換気扇に吸い込まれるために、床下の四隅に空気がよどむようになる。
【００１２】
また、特許文献１では、ケースに揺動自在のフラップにウエイトと形状記憶合金製のコイル状部材を取り付ける必要があるので換気装置が複雑になりなる。また可動部を備えているために保守点検作業も必要となってくる。
【００１３】
また、煉瓦組積外壁を透水した水分が空気層の下に溜まると、排水しにくいという問題があった。
【００１４】
そこで、本考案は、簡単な構造で建物躯体とその外側の煉瓦組積外壁との間に形成された空気層への空気流入量を多くすることができる建物の煉瓦組積外壁を提供するものである。
【課題を解決するための手段】
【００１５】
本考案は、基礎上の建物躯体の外側に間隔をあけて設けた空気層を形成するとともに、建物躯体に取り付けた、横鉄筋を支持する煉瓦横鉄筋支持金物に固定され、前記基礎と同一の基礎上に設けられた煉瓦組積外壁において、煉瓦組積外壁の最下部に並べた煉瓦の一部に、複数の通気口が形成された通気用煉瓦を間隔をおいて配置し、この通気口を複数の通気孔が形成された通気カバーで覆ったことことを特徴とする。
【００１６】
前記構成において、通気用煉瓦は煉瓦の中央の縦方向に形成された補強壁を挟んで両側に通気口を形成することができる。また、基礎は煉瓦組積外壁の基礎部分を建物躯体の基礎部分より下のレベルに形成し、躯体の基礎部分から外壁の基礎部分へ下向きに傾斜している基礎とすることができる。さらに、横鉄筋支持金物は建物躯体に取り付けたアングル材の縦方向に間隔をおいて溶接により複数固定して構成することができる。
【考案の効果】
【００１７】
本考案は、煉瓦組積外壁の最下部に並んだ煉瓦の一部に、複数の通気口が形成された通気用煉瓦を配置して通気口を形成することにより、簡単な構造で空気層への空気流入量を多くすることができるので、換気を十分に行うことができる。
【００１８】
横鉄筋支持金物を建物躯体に縦方向に取り付けるアングル材に溶接して固定するので、固定力が強くなるとともに横鉄筋支持金物がアングル材に揃えて固定されているので、空気層全体の間隔を正確に確保することができる。
【考案を実施するための最良の形態】
【００１９】
本考案の一実施例について図面を参照しながら説明する。
【実施例】
【００２０】
図１（ａ）は煉瓦組積外壁の一例を示す縦断面図、（ｂ）は同煉瓦組積外壁の一部正面図、（ｃ）は通気用煉瓦の斜視図、（ｄ）は断面図である。
【００２１】
建物躯体１とその外側に間隔をあけて煉瓦を破れ目地で積み重ねた煉瓦組積外壁２との間に空気層３が形成される。
【００２２】
建物躯体１は、基礎４の上にパッキン５を介して置かれた土台６の上に設けられる。基礎４と土台６との間には床下に空気を取り入れる、通気性のある通気基礎パッキンで床通気口７が形成される。通気基礎パッキンは建物躯体１全周に設けることにより、床下に空気をよどませることなく自然換気することができる。
【００２３】
土台６は、煉瓦組積外壁２の基礎部分８を建物躯体１の基礎部分９より下のレベルに形成する。躯体１の基礎部分９から外壁の基礎部分へ下向きに傾斜させ、空気層３に透水した水などを下側の煉瓦組積外壁側へ流れるようにする。
【００２４】
煉瓦組積外壁２の最下部に並べる煉瓦の一部は、例えば約５００ｍｍの間隔をおいて、図１（ｂ）及び（ｃ）に示すように通気口１０を形成した通気用煉瓦１１を使用する。通気用煉瓦１１には、煉瓦を貫通した複数の通気口１０、例えば、図２に示すように、一対の通気口１０が垂直方向の補強壁１２を挟んで両側に形成される。
【００２５】
図１（ｂ）及び（ｃ）に示すように、通気口１０は虫類、ネズミなどが進入するのを防止するために、空気を通す通気孔１３が多数形成されたパンチングメタルなどからなる通気可能な通気カバー１４で覆う。通気カバー１４はさびにくいステンレス鋼が好ましい。通気カバー１４は、断面Ｌ字形に形成され、通気口１０をカバーするとともに、通気用煉瓦１１の上面に支持され、端部を通気用煉瓦１１の後面上部に引っ掛ける引っ掛け片が形成された形状となっている。通気カバー１４は、通気用煉瓦１１にセットした後、目地材１５及びその上に配置される煉瓦により固定される。
【００２６】
煉瓦組積外壁２は、煉瓦の倒壊を防止するため、建物躯体１の柱に取り付けた煉瓦横鉄筋支持金物１６に組積中の煉瓦の目地に配置した横鉄筋１７を固定する。横鉄筋支持金物１６は縦方向のアングル材１８に一定の長さで溶接して固定して長さが揃えられている。縦筋１９を通す煉瓦には孔２０が形成され、間隔をおいて積み重ねられ、縦筋１９を通して固定される。
【００２７】
図２（ｂ）に示す従来の、個々の支持金物１９を建物躯体１の柱にビスでとめて支持する場合、一部の支持金物１９に強い力が掛かったりすると、引き抜かれるおそれがあるが、本考案では一本のアングル材１８を縦方向に複数箇所で固定することから、一部の支持金物１９に強い力が掛かってもアングル材１８全体が引き抜かれるおそれはないので、より安全になる。
【００２８】
また、図２（ｂ）に示すように、従来の工法では、構造躯体１と煉瓦組積外壁が正確に計測しにくく、また、煉瓦横鉄筋支持金物１６を現場で取り付けるため、煉瓦横鉄筋支持金物１６を正確に一定の長さに揃えて取り付けられないため、煉瓦組積外壁２を建物躯体１から一定の間隔で正確に積み上げるのに手間がかかっていた。これに対して、本考案では、アングル材１８を現場で取り付ける前に、工場などでアングル材１８に煉瓦横鉄筋支持金物１６を一定の長さに揃えて溶接固定しているため、煉瓦組積外壁２の煉瓦を建物躯体１から一定の間隔で正確に積み上げることができる。その結果、建物躯体１と煉瓦組積外壁２の間隔を確保できる。
【００２９】
また、本考案では、万一、煉瓦組積外壁２を雨水などが透水することになってもアングル材１８を水が流下するので、建物躯体の柱の損傷が少なくなる。
【図面の簡単な説明】
【００３０】
【図１】（ａ）の煉瓦組積外壁の一例を示す縦断面図、（ｂ）は同煉瓦組積外壁の一部正面図、（ｃ）は通気用煉瓦の斜視図、（ｄ）は断面図である。
【図２】横鉄筋支持金物と横鉄筋の配置を示す図で、（ａ）は本発明、（ｂ）は従来例を示す図である。
【図３】従来の煉瓦組積外壁の一例を示す縦断面図、（ｂ）は同煉瓦組積外壁の一部正面図である。
【図４】（ａ）は従来の煉瓦組積外壁の別の例を示す縦断面図、（ｂ）は床下の空気の流れを示す図である。
【符号の説明】
【００３１】
１：建物躯体              ２：煉瓦組積外壁
３：空気層                ４：基礎
５：パッキン              ６：土台
７：床通気口              ８：煉瓦組積外壁の基礎部分
９：建物躯体の基礎部分  １０：通気口
１１：通気用煉瓦          １２：補強壁
１３：通気孔              １４：通気カバー
１５：目地材              １６：煉瓦横鉄筋支持金物
１７：横鉄筋              １８：アングル材
１９：縦筋                ２０：孔
３０：横鉄筋支持金物      ３１：横鉄筋
３２：基礎                ３３：通気口
３４：縦筋                ３５：孔
３６：通気用パイプ        ３７：換気扇
【図１】
0003131222.tif 000003
【図２】
0003131222.tif 000004
【図３】
0003131222.tif 000005
【図４】
0003131222.tif 000006